(57)【要約】【課題】ディスクに記録されたデータを記憶部に記憶させる処理をユーザの要望に沿って効率よく処理すること。【解決手段】電子機器１は、光ディスク２に記録されたデータを読み出す読出処理部１０と、読出処理部１０が読み出したデータをメモリ３０に記憶させる記憶処理部２０と、読出処理部１０が光ディスク２からデータを読み出すときの読出処理部１０の動作モードを指定する操作を受け付ける操作部２９と、操作部２９が受け付けた操作により指定された動作モードに対応した制御パラメータを読出処理部１０に出力して、読出処理部１０の動作を制御する設定管理部２７と、を備える。【選択図】図１
2019215942.tif 000002
【特許請求の範囲】
【請求項１】
ディスクに記録されたデータを読み出す読出処理部と、
前記読出処理部が読み出したデータを記憶部に記憶させる記憶処理部と、
前記読出処理部が前記ディスクからデータを読み出すときの前記読出処理部の動作モードを指定する操作を受け付ける受付部と、
前記受付部が受け付けた操作により指定された動作モードに対応した制御パラメータを前記読出処理部に出力して、前記読出処理部の動作を制御する制御部と、
を備えることを特徴とする電子機器。
【請求項２】
前記制御部は、前記読出処理部が前記ディスクから読み出したデータに含まれるエラーの許容数を前記制御パラメータとして前記読出処理部に出力し、
前記受付部が受け付けた操作により指定された動作モードに応じて前記許容数を変更する、ことを特徴とする請求項１記載の電子機器。
【請求項３】
前記読出処理部は、前記ディスクから読み出したデータに、前記制御パラメータにより指定された前記許容数以上のエラーが含まれる場合に、前記ディスクからデータを再度読み出すリトライを行う、ことを特徴とする請求項２記載の電子機器。
【請求項４】
前記制御部は、前記読出処理部が前記ディスクからデータを再度読み出す回数を指定したリトライ回数を前記制御パラメータとして前記読出処理部に出力し、
前記受付部が受け付けた操作により指定された動作モードに応じて、前記リトライ回数を変更する、ことを特徴とする請求項２又は３記載の電子機器。
【請求項５】
前記読出処理部は、前記制御パラメータにより指定されたリトライ回数、前記ディスクからデータを読み出しても、読み出した前記データに含まれるエラーの個数が前記許容数以下にならない場合に、前記制御部にエラーを通知し、
前記制御部は、前記読出処理部からエラーを通知された場合に、前記許容数及び前記リトライ回数を変更する、ことを特徴とする請求項４記載の電子機器。
【請求項６】
前記制御部は、前記記憶部へのデータの記憶を優先する操作を前記受付部が受け付けた場合に、前記許容数を超えるエラーが含まれるデータを前記記憶処理部に出力せずに、前記ディスクからのデータの読み出しを継続させる、ことを特徴とする請求項２から５のいずれか１項に記載の電子機器。
【請求項７】
前記制御部は、前記ディスクの回転速度を制御する制御パラメータを前記読出処理部に出力し、
前記読出処理部から通知されるエラー数と、前記読出処理部が前記記憶処理部に出力するデータの転送速度との少なくともいずかに基づいて、前記ディスクの回転速度を変更する、ことを特徴とする請求項１から６のいずれか１項に記載の電子機器。
【請求項８】
前記読出処理部が前記ディスクからデータを読み出すときの動作モードを選択する選択画面を表示する表示部を備える、ことを特徴とする請求項１から７のいずれか１項に記載の電子機器。
【請求項９】
ディスクに記録されたデータを読み出す読出ステップと、
前記読出ステップにより読み出されたデータを記憶部に記憶させる記憶ステップと、
前記読出ステップにより前記ディスクからデータを読み出すときの動作モードを指定する操作を受け付ける受付ステップと、を有し、
前記読出ステップは、前記受付ステップにより受け付けた操作により指定された動作モードに対応した制御パラメータに従って、前記ディスクからデータを読み出すことを特徴とするデータ記憶方法。
【発明の詳細な説明】
【技術分野】
【０００１】
本発明は、電子機器、及びデータ記憶方法に関する。
【背景技術】
【０００２】
従来、ディスク等の記録媒体からデータを読み出して記憶部に記憶させる電子機器が知られている（例えば、特許文献１参照）。
特許文献１の電子機器は、記憶部へのデータの記録速度が異なる少なくとも２つの記録モードを備え、電源供給停止の指示を受けると、記録速度の速い記録モードに切り替える。
【先行技術文献】
【特許文献】
【０００３】
【特許文献１】特開２００７−２８０４６２号公報
【発明の概要】
【発明が解決しようとする課題】
【０００４】
しかしながら、ディスクに記録されたデータを記憶部に記憶させる処理をユーザの要望に沿って効率よく処理可能な電子機器は知られていない。
【０００５】
本発明は上記事情に鑑みてなされたものであり、ディスクに記録されたデータを記憶部に記憶させる処理をユーザの要望に沿って効率よく処理可能な電子機器、及びデータ記憶方法を提供することを目的とする。
【課題を解決するための手段】
【０００６】
本発明の電子機器は、ディスクに記録されたデータを読み出す読出処理部と、前記読出処理部が読み出したデータを記憶部に記憶させる記憶処理部と、前記読出処理部が前記ディスクからデータを読み出すときの前記読出処理部の動作モードを指定する操作を受け付ける受付部と、前記受付部が受け付けた操作により指定された動作モードに対応した制御パラメータを前記読出処理部に出力して、前記読出処理部の動作を制御する制御部と、を備えることを特徴とする。
【０００７】
また、前記制御部は、前記読出処理部が前記ディスクから読み出したデータに含まれるエラーの許容数を前記制御パラメータとして前記読出処理部に出力し、前記受付部が受け付けた操作により指定された動作モードに応じて前記許容数を変更する構成としてもよい。
【０００８】
また、前記読出処理部は、前記ディスクから読み出したデータに、前記制御パラメータにより指定された前記許容数以上のエラーが含まれる場合に、前記ディスクからデータを再度読み出すリトライを行う構成としてもよい。
【０００９】
また、前記制御部は、前記読出処理部が前記ディスクからデータを再度読み出す回数を指定したリトライ回数を前記制御パラメータとして前記読出処理部に出力し、前記受付部が受け付けた操作により指定された動作モードに応じて、前記リトライ回数を変更する構成としてもよい。
【００１０】
また、前記読出処理部は、前記制御パラメータにより指定されたリトライ回数、前記ディスクからデータを読み出しても、読み出した前記データに含まれるエラーの個数が前記許容数以下にならない場合に、前記制御部にエラーを通知し、前記制御部は、前記読出処理部からエラーを通知された場合に、前記許容数及び前記リトライ回数を変更する構成としてもよい。
【００１１】
また、前記制御部は、前記記憶部へのデータの記憶を優先する操作を前記受付部が受け付けた場合に、前記許容数を超えるエラーが含まれるデータを前記記憶処理部に出力せずに、前記ディスクからのデータの読み出しを継続させる構成としてもよい。
【００１２】
また、前記制御部は、前記ディスクの回転速度を制御する制御パラメータを前記読出処理部に出力し、前記読出処理部から通知されるエラー数と、前記読出処理部が前記記憶処理部に出力するデータの転送速度との少なくともいずかに基づいて、前記ディスクの回転速度を変更する構成としてもよい。
【００１３】
また、電子機器は、前記読出処理部が前記ディスクからデータを読み出すときの動作モードを選択する選択画面を表示する表示部を備える構成としてもよい。
【００１４】
本発明のデータ記憶方法は、ディスクに記録されたデータを読み出す読出ステップと、前記読出ステップにより読み出されたデータを記憶部に記憶させる記憶ステップと、前記読出ステップにより前記ディスクからデータを読み出すときの動作モードを指定する操作を受け付ける受付ステップと、を有し、前記読出ステップは、前記受付ステップにより受け付けた操作により指定された動作モードに対応した制御パラメータに従って、前記ディスクからデータを読み出すことを特徴とする。
【発明の効果】
【００１５】
本発明によれば、ディスクに記録されたデータを記憶部に記憶させる処理をユーザの要望に沿って効率よく処理することができる。
【図面の簡単な説明】
【００１６】
【図１】電子機器の構成を示すブロック図。
【図２】録音品質設定画面を示す図。
【図３】品質管理テーブルを示す図。
【図４】リトライ条件管理テーブルを示す図。
【図５】回転速度設定テーブルを示す図。
【図６】生音録音の設定を登録した設定テーブルを示す図。
【図７】生音録音の動作を示すフローチャート。
【図８】きっちり録音の初期設定を登録した設定テーブルを示す図。
【図９】きっちり録音の減速設定を登録した設定テーブルを示す図。
【図１０】きっちり録音の傷対応設定を登録した設定テーブルを示す図。
【図１１】音つなぎを説明する説明図。
【図１２】きっちり録音の動作を示すフローチャート。
【図１３】通常録音の初期設定を登録した設定テーブルを示す図。
【図１４】通常録音の減速設定を登録した設定テーブルを示す図。
【図１５】通常録音の傷対応設定を登録した設定テーブルを示す図。
【図１６】ささっと録音の初期設定を登録した設定テーブルを示す図。
【図１７】ささっと録音の減速設定を登録した設定テーブルを示す図。
【図１８】ささっと録音の傷対応設定を登録した設定テーブルを示す図。
【発明を実施するための形態】
【００１７】
以下、本発明の実施形態について添付図面を参照しながら説明する。図１は、実施形態の電子機器１の構成を示す構成図である。電子機器１は、読出処理部１０と、記憶処理部２０とを備える。
読出処理部１０は、ＣＤ（Compact Disc）やＤＶＤ等の光ディスク２に記録されたデータを読み出す。記憶処理部２０は、読出処理部１０が読み出したデータを不揮発性のメモリ３０に記憶させる。なお、図１において破線で示す矢印は、光ディスク２から読み出されたオーディオデータを示し、実線で示す矢印は、制御信号が送受信される制御信号線を示す。
【００１８】
読出処理部１０は、ピックアップ部１１、サーボ制御部１２、回転速度制御部１３、回転モータ１４、通信ドライバ１５及び第１コントローラ１６を備える。
【００１９】
ピックアップ部１１は、光ディスク２の記録面にレーザー光を照射し、記録面で反射した反射光を受光し、受光結果であるデータを出力する。本実施形態では、光ディスク２に記録されたデータがオーディオデータである場合について説明するが、光ディスク２から読み出すデータは、オーディオデータに限定されるものではない。また、以下では、オーディオデータを簡単にデータと表記する。
サーボ制御部１２は、第１コントローラ１６の制御に従い、ピックアップ部１１が光ディスク２の記録面に照射するレーザー光の光量、フォーカス位置及びトラッキング位置を制御する。
【００２０】
回転速度制御部１３は、第１コントローラ１６の制御に従い、回転モータ１４を回転駆動することによって、光ディスク２の回転速度を可変制御する。より具体的には、回転速度制御部１３は、光ディスク２の回転速度を、例えば、２倍速、４倍速、６倍速及び１０倍速の少なくともいずれかのＣＬＶ（Constant Linear Velocity：線速度一定）再生に対応する速度に制御する。
【００２１】
通信ドライバ１５は、記憶処理部２０の通信ドライバ２１にデータ通信可能に接続される。
【００２２】
第１コントローラ１６は、記憶処理部２０から受信した設定に従って、サーボ制御部１２や回転速度制御部１３を制御し、光ディスク２からデータを読み出す。
また、第１コントローラ１６は、光ディスク２から読み出されたデータに、データに含まれるエラー数を示す情報を付加し、記憶処理部２０の設定管理部２７に出力する。また、第１コントローラ１６は、光ディスク２からのデータの読み出しに失敗した場合に、読み出しエラーを記憶処理部２０の設定管理部２７に通知する。
【００２３】
記憶処理部２０は、通信ドライバ２１、エンコーダ２２、メモリ制御ドライバ２３、ファイルシステム管理部２４、ＣＤＤＢ（Compact Disc DataBase）管理部２５、第２コントローラ２６、設定管理部２７、表示部２８及び操作部２９を備える。
【００２４】
通信ドライバ２１は、読出処理部１０の通信ドライバ１５にデータ通信可能に接続される。
【００２５】
エンコーダ２２は、通信ドライバ２１が読出処理部１０から受信したデータを、設定管理部２７又は第２コントローラ２６により指定された圧縮率で圧縮する。
【００２６】
メモリ制御ドライバ２３は、エンコーダ２２により圧縮されたデータをメモリ３０に記憶させる。
ファイルシステム管理部２４は、メモリ制御ドライバ２３がメモリ３０に記憶させたデータのアドレス等を管理する。
ＣＤＤＢ管理部２５は、メモリ制御ドライバ２３がメモリ３０に記憶させたデータのアーティスト名やタイトルなどの付加情報を管理する。
【００２７】
第２コントローラ２６は、通信ドライバ２１を介して読出処理部１０にコマンドを送信し、読出処理部１０の動作を制御する。
【００２８】
設定管理部２７は、「制御部」として動作し、操作部２９により受け付けた動作モードに対応した制御パラメータを記憶部２７ａから読み出し、読み出した制御パラメータを第２コントローラ２６に出力する。第２コントローラ２６は、入力された制御パラメータを、通信ドライバ２１を介して第１コントローラ１６に出力する。
【００２９】
図１には、設定管理部２７と第２コントローラ２４とを別々に設けた構成を示すが、第２コントローラ２４に設定管理部２７の機能を搭載することも可能である。
記憶処理部２０の設定管理部２７及び第２コントローラ２４と、読出処理部１０の第１コントローラ１６は、例えば、ＣＰＵや、メモリを備える電子制御ユニットとして構成される。
【００３０】
表示部２８は、液晶パネル等の表示パネル２８ａを備え、設定管理部２７の制御に従い、図２に示す録音品質設定画面を表示パネル２８ａに表示させる。
操作部２９は、例えば、ボタンやスイッチを備え、操作を受け付ける受付部として動作する。また、操作部２９は、表示パネル２８ａに重ねて配置されるタッチセンサにより構成することも可能である。
【００３１】
図２は、表示パネル２８ａに表示される録音品質設定画面５０を示す図である。
録音品質設定画面５０は、光ディスク２からデータを読み出してメモリ３０に記憶させるときの電子機器１の動作モードである録音モードを選択する選択画面である。本実施形態の電子機器１は、生音録音５１、通常録音５２、きっちり録音５３、ささっと録音５４、たっぷり録音５５の５つの録音モードを選択することができる。
【００３２】
生音録音５１は、データを高品質に録音する場合の録音モードである。通常録音５２は、データの音質と録音速度のバランスをとった録音モードである。きっちり録音５３は、傷や歪みのある光ディスク２の録音に成功しやすい録音モードである。ささっと録音５４は、短時間で録音する録音モードである。たっぷり録音５５は、多数の曲をメモリ３０に記録する場合に有効な録音モードである。
【００３３】
ユーザは、表示パネル２８ａに表示された録音品質設定画面５０を見ながら、電子機器１に挿入した光ディスク２の録音モードを選択する操作を操作部２９により行う。電子機器１は、操作部２９により選択された録音モードで光ディスク２からデータを読み出し、読み出したデータをメモリ３０に記憶させる。この光ディスク２からデータを読み出し、読み出したデータをメモリ３０に記憶させる動作を、この実施形態では録音という。
【００３４】
図３は、設定管理部２７の記憶部２７ａが記憶する品質管理テーブル１０１を示す図である。
品質管理テーブル１０１は、電子機器１が光ディスク２から読み出すデータの品質を規定したテーブルである。本実施形態は、データの品質を、所定数のデータに含まれるエラーの個数により規定する。本実施形態では、エラーとして、エラー訂正による訂正が不可能なＣ２エラーを想定するが、エラーはＣ２エラーに限定されるものではない。また、所定数のデータは、例えば、光ディスク２の１セクターから読み出される２３５２バイトのデータを例として挙げることができる。
【００３５】
本実施形態の品質管理テーブル１０１には、「高品質」（ＨＩＧＨ）、「中品質」（ＭＩＤ）、「低品質」（ＬＯＷ）、「最低品質」（ＢＡＤ）の４つの品質が登録され、品質ごとに、許容されるエラーの数であるエラー許容数が登録される。
「高品質」には、エラー許容数として「０」個が登録される。「中品質」には、エラー許容数として「０≦ｘ≦２５５」が登録される。「低品質」には、エラー許容数として「０≦ｘ≦１０２３」が登録される。「最低品質」には、エラー許容数として「０≦ｘ≦２３５２」が登録される。「ｘ」は、光ディスク２から読み出したデータに含まれるエラーの個数を示す。
【００３６】
読出処理部１０は、記憶処理部２０が品質設定として「高品質」を設定した場合、光ディスク２から読み出したデータに含まれるエラー数ｘが「０」であるときに、読み出したデータを記憶処理部２０に出力する。また、記憶処理部２０は、操作部２９により受け付けた録音モードに対応付けられた品質設定を、制御パラメータとして読出処理部１０に出力する。また、読出処理部１０は、読み出したデータに含まれるエラー数ｘが１以上である場合、光ディスク２の同一の領域（セクター）からデータを再度読み出すリトライを行う。
【００３７】
また、読出処理部１０は、記憶処理部２０が品質設定として「中品質」を設定した場合、光ディスク２から読み出したデータに含まれるエラー数ｘが「０≦ｘ≦２５５」であるときに、読み出したデータを記憶処理部２０に出力する。また、読出処理部１０は、読み出したデータに含まれるエラー数ｘが２５６以上である場合、光ディスク２の同一の領域（セクター）からデータを再度読み出すリトライを行う。
また、読出処理部１０は、記憶処理部２０が品質設定として「低品質」を設定した場合、光ディスク２から読み出したデータに含まれるエラー数ｘが「０≦ｘ≦１０２３」であるときに、読み出したデータを記憶処理部２０に出力する。また、読出処理部１０は、読み出したデータに含まれるエラー数ｘが１０２４以上である場合、光ディスク２の同一の領域（セクター）からデータを再度読み出すリトライを行う。
【００３８】
図４は、設定管理部２７の記憶部２７ａが記憶するリトライ条件管理テーブル１０２を示す図である。
リトライ条件管理テーブル１０２には、「高品質」（ＨＩＧＨ）、「中品質」（ＭＩＤ）、「低品質」（ＬＯＷ）、「最低品質」（ＢＡＤ）の４つの品質ごとに、各品質におけるリトライを実行するエラー数が登録される。リトライとは、一度、光ディスク２から読み出したデータを、再度読み出す動作である。
また、リトライ条件は、Ｃ２エラーのエラー数により規定され、「高品質」にはリトライ条件としてエラー数「１以上」が登録され、「中品質」にはリトライ条件としてエラー数「２５６以上」が登録される。また、「低品質」にはリトライ条件として「エラー数１０２４以上」が登録される。また、「最低品質」には、リトライ条件として「なし」、すなわち、リトライを実行しないが登録されている。
【００３９】
例えば、読出処理部１０は、記憶処理部２０がリトライ条件として高品質を設定した場合、光ディスク２から読み出したデータに１個以上のエラーが含まれる場合に、リトライを実行して同一のデータを再度、光ディスク２から読み出す。
また、読出処理部１０は、記憶処理部２０がリトライ条件として中品質を設定した場合、光ディスク２から読み出したデータに２５６個以上のエラーが含まれる場合に、リトライを実行して同一のデータを再度、光ディスク２から読み出す。
また、読出処理部１０は、記憶処理部２０がリトライ条件として低品質を設定した場合、光ディスク２から読み出したデータに１０２４個以上のエラーが含まれる場合に、リトライを実行して同一のデータを再度、光ディスク２から読み出す。
また、読出処理部１０は、記憶処理部２０がリトライ条件として最低品質を設定した場合、光ディスク２から読み出したデータにエラーが含まれていても、また、含まれていなくても、リトライは実行しない。
【００４０】
図５は、設定管理部２７の記憶部２７ａが記憶する回転速度設定テーブル１０３を示す図である。
回転速度設定テーブル１０３は、光ディスク２からデータを読み出すときの光ディスク２の回転速度を規定したテーブルである。本実施形態では、読出処理部１０が、光ディスク２をＣＡＶ（Constant Angular Velocity：角速度一定）再生することができず、２５００ｒｐｍ以上で回転させることができない場合を想定している。
回転速度設定テーブル１０３には、回転速度の設定として、２×ＣＬＶ（Constant Linear Velocity：線速度一定）、４×ＣＬＶ、６×ＺＣＬＶ、１０×ＺＣＬＶの４つが登録され、回転速度ごとにデータの読み出し速度が登録される。
【００４１】
例えば、記憶処理部２０が読出処理部１０に、回転速度として「２×ＣＬＶ」を指定した場合、読出処理部１０は、光ディスク２から３５０ｋｂｙｔｅｓ／ｓｅｃの速度でデータを読み出す。
また、記憶処理部２０が読出処理部１０に、回転速度として「４×ＣＬＶ」を指定した場合、読出処理部１０は、光ディスク２から７００ｋｂｙｔｅｓ／ｓｅｃの速度でデータを読み出す。
また、記憶処理部２０が読出処理部１０に、回転速度として「６×ＺＣＬＶ」を指定した場合、読出処理部１０は、光ディスク２から最大１０００ｋｂｙｔｅｓ／ｓｅｃの速度でデータを読み出す。
また、記憶処理部２０が読出処理部１０に、回転速度として「１０×ＺＣＬＶ」を指定した場合、読出処理部１０は、光ディスク２から最大１７００ｋｂｙｔｅｓ／ｓｅｃの速度でデータを読み出す。
【００４２】
［生音録音］
次に、録音品質設定画面５０の「生音録音５１」を選択する操作を操作部２９により受け付けた場合の電子機器１の動作について説明する。図６は、生音録音５１の設定を登録した設定テーブル１１１を示す図である。この設定テーブル１１１は、設定管理部２７の記憶部２７ａに記憶される。
生音録音５１の場合、品質設定が「高品質」、リトライ条件設定が「高品質」、リトライ回数が「３０回」、回転速度が「４×ＣＬＶ」、音つなぎが「音つなぎなし」に設定される。音つなぎ設定については図１１を参照しながら後述する。
【００４３】
設定管理部２７は、生音録音５１が選択されると、図６に示す設定テーブル１１１の登録情報を読み出し、読み出した登録情報を、制御パラメータとして読出処理部１０の第１コントローラ１６に出力する。第１コントローラ１６は、設定管理部２７から入力された制御パラメータに従ってサーボ制御部１２や回転速度制御部１３を制御し、光ディスク２からのデータの読み出しを制御する。
【００４４】
第１コントローラ１６は、設定管理部２７により設定された品質設定及びリトライ条件設定が「高品質」であるため、光ディスク２から読み出されたデータに１以上のエラーが含まれる場合、サーボ制御部１２を制御してリトライを実行させる。また、第１コントローラ１６は、読み出したデータにエラーが含まれない場合、光ディスク２から読み出されたデータを記憶処理部２０に出力させる。また、第１コントローラ１６は、設定管理部２７により設定されたリトライ回数が「３０回」であるため、３０回を上限としてリトライを実行させる。第１コントローラ１６は、リトライを３０回繰り返しても、エラーが含まれないデータを読み出すことができなった場合、設定管理部２７にエラーを通知する。
【００４５】
図７は、生音録音５１が選択された場合の電子機器１の動作を示すフローチャートである。
電子機器１に光ディスク２が挿入され、生音録音５１を選択する操作と、録音の開始操作とを操作部２９により受け付けると（ステップＳ１）、設定管理部２７は、光ディスク２に記録された楽曲の総曲数の情報を読出処理部１０に取得させる。ステップＳ１において、生音録音５１を選択する操作は、本発明の「受付ステップ」に相当する。読出処理部１０は、光ディスク２の所定領域に記録された総曲数の情報を読み出して設定管理部２７に出力する。設定管理部２７は、変数Ｎの値を、読出処理部１０が取得した総曲数に設定する（ステップＳ２）。なお、設定管理部２７は、光ディスク２が電子機器１に挿入されていない場合、又は光ディスク２に楽曲が記録されていない場合、変数Ｎを「０」に設定する。
【００４６】
次に、設定管理部２７は、記憶部２７ａが記憶する設定テーブル１１１から生音録音５１の登録情報を取得する。設定管理部２７は、取得した登録情報を、制御パラメータとして第１コントローラ１６に出力して読出処理部１０に生音録音５１の設定を行う（ステップＳ３）。
【００４７】
次に、設定管理部２７は、曲数をカウントする変数ｎの値を初期化し（ステップＳ４）、変数ｎの値が、総曲数Ｎよりも大きいか否かを判定する（ステップＳ５）。設定管理部２７は、変数ｎが、総曲数Ｎよりも大きい場合（ステップＳ５／ＹＥＳ）、録音完了と判定し、この処理フローを終了させる。
【００４８】
また、設定管理部２７は、変数ｎが総曲数Ｎ以下の場合（ステップＳ５／ＮＯ）、ｎ曲目の楽曲の録音を開始する（ステップＳ６）。このステップＳ６では、設定管理部２７は、録音準備のための処理を行う。具体的には、設定管理部２７は、エンコーダ２２で圧縮したデータの保存場所を決定したり、曲の再生時間を確認したり、データの圧縮率をエンコーダ２２に設定したりする。
【００４９】
次に、設定管理部２７は、読出処理部１０に、ｎ番目の楽曲の読み出しを開始させる（ステップＳ７）。このステップＳ７は、本発明の「読出ステップ」に相当する。設定管理部２７は、光ディスク２が音楽ＣＤである場合、コマンド（例えば、Read CD Command）を第１コントローラ１６に出力して、楽曲の終了まで一定量ずつデータを取得する。
【００５０】
次に、設定管理部２７は、データの読み出しに成功したか否かを判定する（ステップＳ８）。読出処理部１０は、データの読み出しに失敗した場合、読み出しエラーを設定管理部２７に出力する。また、読出処理部１０は、データの読み出しに成功した場合、成功したデータを記憶処理部２０に出力する。設定管理部２７は、読出処理部１０からデータが入力されると、データの読み出しに成功したと判定し（ステップＳ８／ＹＥＳ）、入力されるデータをエンコーダ２２により圧縮させ、メモリ制御ドライバ２３によってメモリ３０に記憶させる（ステップＳ９）。このステップＳ９は、本発明の「記憶ステップ」に相当する。設定管理部２７は、ｎ番目の楽曲のすべてのデータの録音が完了したか否かを判定する（ステップＳ１０）。設定管理部２７は、ｎ番目の楽曲のすべてのデータの録音が完了していない場合（ステップＳ１０／ＮＯ）、ステップＳ７に戻って光ディスク２からのデータの取得を継続する。また、設定管理部２７は、ｎ番目の楽曲のすべてのデータの録音が完了した場合（ステップＳ１０／ＹＥＳ）、変数ｎの値を１加算し（ステップＳ１１）、ステップＳ５の判定に移行する。
【００５１】
また、設定管理部２７は、読出処理部１０から読み出しエラーの通知が入力され、データの読み出しに失敗したと判定した場合（ステップＳ８／ＮＯ）、変数ｎに対応する楽曲の録音を中止し、変数ｎの値を１加算して（ステップＳ１１）、ステップＳ５の判定に移行する。
【００５２】
［きっちり録音］
次に、録音品質設定画面５０の「きっちり録音５３」を選択する操作を操作部２９により受け付けた場合の電子機器１の動作について説明する。図８は、きっちり録音５３の初期設定が登録された設定テーブル１２１を示す図である。この設定テーブル１２１は、設定管理部２７の記憶部２７ａに記憶される。
きっちり録音５３の初期設定の場合、品質設定が「中品質」、リトライ条件設定が「中品質」、リトライ回数が「１０回」、回転速度「１０×ＺＣＬＶ」、音つなぎ設定が「音つなぎなし」に設定される。
【００５３】
設定管理部２７は、きっちり録音５３が選択されると、図８に示す設定テーブル１２１の登録情報を読み出し、読み出した登録情報を、制御パラメータとして読出処理部１０の第１コントローラ１６に出力する。第１コントローラ１６は、設定管理部２７から入力された制御パラメータに従ってサーボ制御部１２や回転速度制御部１３を制御し、光ディスク２からのデータの読み出しを制御する。
【００５４】
第１コントローラ１６は、設定管理部２７により設定された品質設定及びリトライ条件設定が「中品質」であるため、読み出したデータに２５６以上のエラーが含まれる場合、サーボ制御部１２を制御してリトライを実行させる。また、第１コントローラ１６は、読み出されたデータに含まれるエラーの個数が２５５以下の場合、光ディスク２から読み出したデータを記憶処理部２０に出力する。また、第１コントローラ１６は、設定管理部２７により設定されたリトライ回数が「１０回」であるため、リトライを実行する場合に、１０回を上限としてリトライを実行させる。読出処理部１０は、リトライを１０回繰り返しても、エラーの個数が２５５以下にならない場合、設定管理部２７に読み出しエラーを通知する。このとき、読出処理部１０は、設定管理部２７に読み出しエラーと共に、エラー数を通知してもよい。
【００５５】
また、設定管理部２７は、読出処理部１０から出力されるデータの転送レートや、エラー通知、エラー数に基づいて、読出処理部１０の設定を変更する。
具体的には、設定管理部２７は、以下に示す条件１又は条件２が成立した場合に、読出処理部１０の設定を初期設定から減速設定に変更する。
条件１：読出処理部１０から記憶処理部２０に転送されるデータの転送レートが４倍速未満の状態が５秒間継続した場合
条件２：読出処理部１０から記憶処理部２０に、読み出しエラーが通知された場合
【００５６】
光ディスク２の録音品質が低い場合、又は光ディスク２に歪みや中心軸のズレが生じている場合、光ディスク２を低い回転速度で回転させることで、光ディスク２からデータを正常に読み出せる場合もある。このため、設定管理部２７は、上記条件１又は２が成立した場合、読出処理部１０の設定を、初期設定から減速設定に変更する。
【００５７】
図９は、きっちり録音５３の減速設定を登録した設定テーブル１２３を示す図である。この設定テーブル１２３は、設定管理部２７の記憶部２７ａに記憶される。
きっちり録音５３の減速設定の場合、品質設定が「中品質」、リトライ条件設定が「中品質」、リトライ回数が「１０回」、回転速度が「６×ＺＣＬＶ」、音つなぎが「音つなぎなし」に設定される。きっちり録音５３の減速設定では、きっちり録音５３の初期設定の場合と比較して、光ディスク２の回転速度が、「１０×ＺＣＬＶ」から「６×ＺＣＬＶ」に変更される。
【００５８】
また、設定管理部２７は、読出処理部１０の設定を、きっちり録音５３の減速設定に変更した後で、読出処理部１０の出力により上記条件１又は２が成立したと判定した場合、光ディスク２の回転速度を「６×ＺＣＬＶ」から「４×ＣＬＶ」に変更し、きっちり録音５３を再度実行させる。
【００５９】
また、設定管理部２７は、以下に示す条件３、条件４及び条件５のいずれかが成立した場合、読出処理部１０の設定を初期設定から傷対応設定に変更する。
条件３：Ｃ２エラーが１００セクター中に５個以上検出された場合
条件４：読出処理部１０から記憶処理部２０に、読み出しエラーが通知された場合
条件５：連続する２セクターにおいて読み出しエラーが検出された場合
【００６０】
光ディスク２に傷や汚れがある場合、傷や汚れの程度が酷いほど、光ディスク２を高回転で回転させたほうがデータを読み出せる可能性が高まる。このため、設定管理部２７は、上記条件３〜５のいずれか少なくとも１つが成立した場合、読出処理部１０の設定を、きっちり録音５３の傷対応設定に変更する。
【００６１】
図１０は、きっちり録音５３の傷対応設定を登録した設定テーブル１２５を示す図である。この設定テーブル１２５は、設定管理部２７の記憶部２７ａに記憶される。
きっちり録音５３の傷対応設定では、品質設定が「中品質」、リトライ条件設定が「低品質」、リトライ回数が「１０回」、回転速度が「１０×ＺＣＬＶ」、音つなぎが「音つなぎなし」に設定される。
【００６２】
また、設定管理部２７は、読出処理部１０の設定を、きっちり録音５３の傷対応設定に変更した後で、読出処理部１０からの通知により上記条件３〜５のいずれか少なくとも１つが成立した場合、品質設定を「低品質」に変更する。
さらに、設定管理部２７は、品質設定を「低品質」に変更した後で、読出処理部１０からの通知により上記条件３〜５のいずれか少なくとも１つが成立した場合、品質設定及びリトライ条件設定を「最低品質」に変更する。さらに、設定管理部２７は、光ディスク２の回転速度を、「１０×ＺＣＬＶ」を維持し、音つなぎの設定を、「音つなぎあり」に変更する。
【００６３】
図１１は、音つなぎについて説明するための説明図である。
図１１に示す（Ａ）には、光ディスク２に記録された「データ１」〜「データ５」までのデータを示す。「データ１」〜「データ５」は、各々が１セクターから読み出された２３５２バイトのデータを意味する。また、図１１に示す（Ｂ）には、読出処理部１０が光ディスク２から読み出したデータを示す。読出処理部１０は、「データ４」の読み出しに失敗し、「データ４」がエラーとなった場合を示す。また、図１１に示す（Ｃ）には、記憶処理部２０がメモリ３０に記憶させるデータを示す。音つなぎの設定が「音つなぎあり」に設定された場合、読出処理部１０は、品質設定により設定された条件（エラー数）を満たすデータを読み出すことができないと、読み出しができなったセクターのデータの読み出しを中止し、次のセクターのデータを読み出す。すなわち、「音つなぎあり」に設定された場合、読出処理部１０は、記憶処理部２０に、「データ４」のデータを出力せず、「データ５」のデータを出力する。記憶処理部２０は、読出処理部１０から入力されるデータを順にメモリ３０に記憶させる。このため、メモリ３０には、「データ１」、「データ２」、「データ３」、「データ５」の順にデータが記憶される。
【００６４】
図１２は、きっちり録音５３が選択された場合の電子機器１の動作を示すフローチャートである。なお、図１２において、ステップＳ３１〜Ｓ３７までの処理は、図７に示す生音録音５１の場合の動作と同一であるため、説明を省略する。
設定管理部２７は、ｎ番目の楽曲のデータの読み出しを読出処理部１０に指示し、データを取得する（ステップＳ３７）。設定管理部２７は、読出処理部１０から出力されるデータの転送レートや、エラー通知に基づいて、上述の条件１〜５のいずれかが成立したか否を判定する（ステップＳ３８）。設定管理部２７は、条件１〜条件５のいずれかが成立した場合（ステップＳ３８／ＹＥＳ）、成立した条件に対応した設定（減速設定又は傷対応設定）を記憶部２７ａから読み出して読出処理部１０に出力し、読出処理部１０の設定を変更する（ステップＳ３９）。その後、ステップＳ３７に戻り、読出処理部１０に、設定した条件で、再度、光ディスク２からデータを読み出させる。
【００６５】
また、設定管理部２７は、条件１〜条件５のいずれかが成立していない場合（ステップＳ３８／ＮＯ）、データの読み出しに成功したか否かを判定する（ステップＳ４０）。設定管理部２７は、読出処理部１０がデータの読み出しに成功した場合（ステップＳ４０／ＹＥＳ）、読み出されたデータをエンコーダ２２に圧縮させ（ステップＳ４１）、圧縮したデータをメモリ制御ドライバ２３によりメモリ３０に記憶させる（ステップＳ４１）。その後、設定管理部２７は、ｎ番目の楽曲のデータのすべてをメモリ３０に記憶させたか否かを判定する（ステップＳ４２）。設定管理部２７は、ｎ番目の楽曲のデータのすべてをメモリ３０に記憶させていない場合（ステップＳ４２／ＮＯ）、ステップＳ３７に戻り、光ディスク２からデータの読み出しを再開する。
また、設定管理部２７は、ｎ番目の楽曲のデータのすべてをメモリ３０に記憶させた場合（ステップＳ４２／ＹＥＳ）、ステップＳ３９で、設定を変更している場合には、読出処理部１０の設定を、ステップＳ３３で設定したきっちり録音５３の初期設定に戻す（ステップＳ４３）。その後、設定管理部２７は、変数ｎの値を１加算して（ステップＳ４４）、ステップＳ３５の判定に戻る。
【００６６】
［通常録音］
次に、録音品質設定画面５０の「通常録音５２」を選択する操作を操作部２９により受け付けた場合の電子機器１の動作を説明する。図１３は、通常録音５２の初期設定を登録した設定テーブル１３１を示す図である。この設定テーブル１３１は、設定管理部２７の記憶部２７ａに記憶される。
通常録音５２の場合、品質設定が「高品質」、リトライ条件設定が「高品質」、リトライ回数が「１０回」、回転速度「１０×ＺＣＬＶ」、音つなぎ設定が「音つなぎなし」に設定される。
【００６７】
設定管理部２７は、通常録音５２が選択されると、図１３に示す設定テーブル１３１に登録された初期設定を読み出し、読出処理部１０の第１コントローラ１６に出力する。第１コントローラ１６は、設定管理部２７から入力された設定に従ってサーボ制御部１２や回転速度制御部１３を制御し、光ディスク２からのデータの読み出しを制御する。
【００６８】
また、設定管理部２７は、読出処理部１０から出力されるデータのビットレートや、エラー通知に基づいて、読出処理部１０の設定を変更する。
具体的には、設定管理部２７は、上述した条件１又は条件２が成立した場合、品質設定を「中品質」に変更し、リトライ条件設定を「中品質」に変更する。
【００６９】
また、設定管理部２７は、品質設定を「中品質」に変更し、リトライ条件設定を「中品質」に変更した後に、上述の条件１又は条件２が成立した場合、読出処理部１０の設定を初期設定から減速設定に変更する。
【００７０】
図１４は、通常録音５２の減速設定を登録した設定テーブル１３３を示す図である。設定テーブル１３３は、設定管理部２７の記憶部２７ａに記憶される。
通常録音５２の減速設定では、品質設定が「中品質」、リトライ条件設定が「中品質」、リトライ回数が「５回」、回転速度が「６×ＺＣＬＶ」、音つなぎが「音つなぎなし」に設定される。
【００７１】
設定管理部２７は、読出処理部１０の設定を、通常録音５２の減速設定に変更した後で、読出処理部１０の出力により上記条件１又は２が成立した場合、光ディスク２の回転速度を「６×ＺＣＬＶ」から「４×ＣＬＶ」に変更して再度、通常録音５２を実行する。
【００７２】
また、設定管理部２７は、上述した条件３、条件４及び条件５のいずれかが成立した場合、読出処理部１０の設定を初期設定から傷対応設定に変更する。
【００７３】
図１５は、通常録音５２の傷対応設定を登録した設定テーブル１３５を示す図である。この設定テーブル１２５は、設定管理部２７の記憶部２７ａに記憶される。
通常録音５２の傷対応設定では、品質設定が「中品質」、リトライ条件設定が「中品質」、リトライ回数が「５回」、回転速度が「１０×ＺＣＬＶ」、音つなぎの設定が「音つなぎなし」に設定される。
【００７４】
また、設定管理部２７は、読出処理部１０の設定を、通常録音５２の傷対応設定に変更した後に、読出処理部１０からの通知により上記条件３〜５のいずれか少なくとも１つが成立した場合、リトライ条件設定を「中品質」から「低品質」に変更する。さらに、設定管理部２７は、リトライ回数を「５回」から「２回」に変更する。
【００７５】
さらに、設定管理部２７は、リトライ条件設定及びリトライ回数を変更した後に、上記条件３〜５のいずれか少なくとも１つが成立した場合、品質設定を「中品質」から「低品質」に変更し、リトライ回数を「２回」から「１回」に変更する。また、設定管理部２７は、品質設定を「低品質」、リトライ条件設定を「低品質」に設定した状態で、条件３が成立した場合、データをメモリ３０に記録することなく、エラー終了させる。
【００７６】
［ささっと録音］
次に、録音品質設定画面５０の「ささっと録音５４」を選択する操作を操作部２９により受け付けた場合の電子機器１の動作を説明する。図１６は、ささっと録音５４の初期設定を登録した設定テーブル１４１を示す図である。この設定テーブル１４１は、設定管理部２７の記憶部２７ａに記憶される。
ささっと録音５４の初期設定の場合、品質設定が「中品質」、リトライ条件設定が「中品質」、リトライ回数が「５回」、回転速度「１０×ＺＣＬＶ」、音つなぎ設定が「音つなぎなし」に設定される。
【００７７】
設定管理部２７は、ささっと録音５４が選択されると、図１６に示す設定テーブル１４１に登録されたささっと録音５４の初期設定を読み出し、読出処理部１０の第１コントローラ１６に出力する。第１コントローラ１６は、設定管理部２７から入力された設定に従ってサーボ制御部１２や回転速度制御部１３を制御し、光ディスク２からのデータの読み出しを制御する。
【００７８】
また、設定管理部２７は、読出処理部１０から出力されるデータの転送レートや、エラー通知に基づいて、読出処理部１０の設定を変更する。
具体的には、設定管理部２７は、以下に示す条件６〜８のいずれかが成立した場合、読出処理部１０の設定を初期設定から減速設定に変更する。
条件６：光ディスク２の回転速度として１０倍速（１０×ＺＣＬＶ）を設定した区間で、転送レートが６倍速未満の状態が５秒継続した場合
条件７：光ディスク２の回転速度として６倍速（６×ＺＣＬＶ）を設定した区間で、転送レートが４倍速未満の状態が５秒継続した場合
条件８：読出処理部１０から記憶処理部２０に、読み出しエラーが通知された場合
【００７９】
図１７は、ささっと録音５４の減速設定を登録した設定テーブル１４３を示す図である。設定テーブル１４３は、設定管理部２７の記憶部２７ａに記憶される。
ささっと録音５４の減速設定では、品質設定が「中品質」、リトライ条件設定が「中品質」、リトライ回数が「２回」、回転速度が「６×ＺＣＬＶ」、音つなぎが「音つなぎなし」に設定される。
【００８０】
設定管理部２７は、読出処理部１０の設定を、ささっと録音５４の減速設定に変更した後で、読出処理部１０の出力により上記条件１又は２が成立したと判定した場合、光ディスク２の回転速度を「６×ＺＣＬＶ」から「４×ＣＬＶ」に変更する。そして、設定管理部２７は、再度、ささっと録音５４を実行させる。
【００８１】
また、設定管理部２７は、上述した条件３、条件４及び条件５のいずれかが成立した場合、読出処理部１０の設定をささっと録音５４の初期設定から傷対応設定に変更する。
【００８２】
図１８は、ささっと録音５４の傷対応設定を登録した設定テーブル１４５を示す図である。この設定テーブル１４５は、設定管理部２７の記憶部２７ａに記憶される。
ささっと録音５４の傷対応設定では、品質設定が「中品質」、リトライ条件設定が「中品質」、リトライ回数が「２回」、回転速度が「１０×ＺＣＬＶ」、音つなぎの設定が「音つなぎなし」に設定される。
【００８３】
また、設定管理部２７は、読出処理部１０の設定を、ささっと録音５４の傷対応設定に変更した後に、読出処理部１０からの通知により上記条件３〜５のいずれか少なくとも１つが成立した場合、リトライ条件設定を「中品質」から「低品質」に変更する。また、設定管理部２７は、リトライ回数を「２回」から「１回」に変更する。
【００８４】
さらに、設定管理部２７は、リトライ条件設定及びリトライ回数を変更した後で、上記条件３〜５のいずれか少なくとも１つが成立した場合、品質設定を「中品質」から「低品質」に変更する。
【００８５】
［たっぷり録音］
設定管理部２７は、録音品質設定画面５０の「たっぷり録音５５」を選択する操作を操作部２９により受け付けた場合、通常録音５２の場合と同様に動作させる。たっぷり録音５５と、通常録音５２との相違点は、エンコーダ２２の圧縮率である。設定管理部２７は、たっぷり録音５５が選択された場合、エンコーダ２２の圧縮率を、通常録音５２よりも高く設定する。
【００８６】
以上説明したように本実施形態の電子機器１は、読出処理部１０と、記憶処理部２０と、操作部２９と、設定管理部２７とを備える。読出処理部１０は、光ディスク２に記録されたデータを読み出す。記憶処理部２０は、読出処理部１０が読み出したデータをメモリ３０に記憶させる。操作部２９は、読出処理部が光ディスク２からデータを読み出すときの読出処理部１０の動作モードを指定する操作を受け付ける。設定管理部２７は、操作部２９が受け付けた操作により指定された動作モードに対応した制御パラメータを読出処理部１０に出力して、読出処理部１０の動作を制御する。
従って、光ディスク２に記録されたデータをメモリ３０に記憶させる処理をユーザの要望に沿って効率よく処理することができる。
【００８７】
また、設定管理部２７は、読出処理部１０が光ディスク２から読み出したデータに含まれるエラーの許容数を制御パラメータとして読出処理部１０に出力する。また、設定管理部２７は、操作部２９が受け付けた操作により指定された動作モードに応じて許容数を変更する。
従って、読出処理部が光ディスク２からデータを読み出すときの読出処理部１０の動作モードに応じてエラーの許容数を変更して、光ディスク２から読み出されるデータの品質を変更することができる。
【００８８】
また、読出処理部１０は、光ディスク２から読み出したデータに、制御パラメータにより指定された許容数以上のエラーが含まれる場合に、光ディスク２からデータを再度読み出すリトライを行う。
従って、指定された許容数以上のエラーが含まれる場合に、光ディスク２からデータを再度読み出すリトライを行って、光ディスク２から読み出されるデータの品質の低下を防止することができる。
【００８９】
また、設定管理部２７は、読出処理部１０が光ディスク２からデータを再度読み出す回数を指定したリトライ回数を制御パラメータとして読出処理部１０に出力する。
設定管理部２７は、操作部２９が受け付けた操作により指定された動作モードに応じて、リトライ回数を変更する。
従って、動作モードを指定することで、リトライ回数を変更することができる。リトライ回数を多く設定することで、光ディスク２から読み出されるデータの品質の低下を防止することができ、また、リトライ回数を少なく設定することで、光ディスク２からのデータの読み出しにかかる時間が長くなるのを防止することができる。
【００９０】
また、読出処理部１０は、制御パラメータにより指定されたリトライ回数、光ディスク２からデータを読み出しても、読み出したデータに含まれるエラーの個数が許容数以下にならない場合に、制御部にエラーを通知する。設定管理部２７は、読出処理部１０からエラーを通知された場合に、許容数及びリトライ回数を変更する。
従って、読出処理部１０からエラーを通知された場合に、データの品質を下げて、光ディスク２からデータを読み出すことができる。
【００９１】
また、設定管理部２７は、メモリ３０へのデータの記憶を優先する操作を操作部２９により受け付けた場合に、許容数を超えるエラーが含まれるデータを記憶処理部２０に出力せずに、光ディスク２からのデータの読み出しを継続させる。
従って、光ディスク２から読み出すデータの品質よりも、光ディスク２からのデータの読み出しを優先させることができる。
【００９２】
また、設定管理部２７は、光ディスク２の回転速度を制御する制御パラメータを読出処理部１０に出力する。設定管理部２７は、読出処理部１０から通知されるエラー数と、読出処理部１０が記憶処理部２０に出力するデータの転送速度との少なくともいずかに基づいて、ディスクの回転速度を変更する。
従って、光ディスク２から読み出されるデータのエラー数が減少するように、光ディスク２の回転速度を変更することができる。
【００９３】
また、電子機器１は、読出処理部１０が光ディスク２からデータを読み出すときの動作モードを選択する録音品質設定画面５０を表示する表示部２８を備える。
従って、ユーザは、録音品質設定画面５０を見ながら電子機器１の動作モードを選択することができる。
【００９４】
上述した実施形態は、あくまでも本発明の一態様を例示するものであって、本発明の趣旨を逸脱しない範囲で任意に変形、及び応用が可能である。
例えば、図３に示す読出処理部１０及び記憶処理部２０の機能ブロックは、読出処理部１０及び記憶処理部２０の備える機能を主な処理内容に応じて分類して示した概略図である。読出処理部１０及び記憶処理部２０の構成は、処理内容に応じて、さらに多くのブロックに分割することもできる。また、この機能ブロックは、図１に示す１つのブロックによりさらに多くの処理を実行するように構成しても良い。また、各ブロックの処理は、１つのハードウェアで実行しても良いし、複数のハードウェアで実行しても良い。また、各ブロックの処理は、１つのプログラムで実現しても良いし、複数のプログラムで実現しても良い。
【００９５】
また、図７及び図１２に示すフローチャートの処理単位は、設定管理部２７の処理を理解容易にするために、主な処理内容に応じて分割したものであり、処理単位の分割の仕方や名称によって本発明が制限されることはない。設定管理部２７の処理は、処理内容に応じて、さらに多くの処理単位に分割することもできる。また、１つの処理単位がさらに多くの処理を含むように分割することもできる。また、上記のフローチャートの処理順序も、図示した例に限られるものではない。
【符号の説明】
【００９６】
１  電子機器
２  光ディスク
１０  読出処理部
１１  ピックアップ部
１２  サーボ制御部
１３  回転速度制御部
１４  回転モータ
１５  通信ドライバ
１６  第１コントローラ
２０  記憶処理部
２１  通信ドライバ
２２  エンコーダ
２３  メモリ制御ドライバ
２４  ファイルシステム管理部
２５  ＣＤＤＢ管理部
２７  設定管理部
２７ａ  記憶部
２８  表示部
２８ａ  表示パネル
２９  操作部
３０  メモリ
５０  録音品質設定画面
５１  生音録音
５２  通常録音
５３  きっちり録音
５４  ささっと録音
５５  たっぷり録音
１０１  品質管理テーブル
１０２  リトライ条件管理テーブル
１０３  回転速度設定テーブル
【図１】
2019215942.tif 000003
【図２】
2019215942.tif 000004
【図３】
2019215942.tif 000005
【図４】
2019215942.tif 000006
【図５】
2019215942.tif 000007
【図６】
2019215942.tif 000008
【図７】
2019215942.tif 000009
【図８】
2019215942.tif 000010
【図９】
2019215942.tif 000011
【図１０】
2019215942.tif 000012
【図１１】
2019215942.tif 000013
【図１２】
2019215942.tif 000014
【図１３】
2019215942.tif 000015
【図１４】
2019215942.tif 000016
【図１５】
2019215942.tif 000017
【図１６】
2019215942.tif 000018
【図１７】
2019215942.tif 000019
【図１８】
2019215942.tif 000020